(57)【要約】【課題】全体を一体的に形成することができ、収容された物品が内面に貼り付いてしまうといった事態をより確実に抑制することのできる容器を提供する。【解決手段】容器１は、略板状の底壁部２と、底壁部２の側辺部から上方に延出する側壁部３とを具備し、上方に開口する略箱状をなしている。また、側壁部３の内面には、上下方向に延びる凸条部１１と、上下方向に延びる凹条部１２とが、側壁部３の周方向において交互に連続して、側壁部３の周方向全域にわたり形成されている。さらに、凸条部１１は、その突出方向先端側である側壁部３の内方に向けて縮幅した断面形状をなしている。【選択図】      図１
2015196536.tif 000002
【特許請求の範囲】
【請求項１】
略板状の底壁部と、前記底壁部の側辺部から上方に延出する側壁部とを具備し、上方に開口する略箱状の容器において、
前記側壁部の内面には、上下方向に延びる凸条部と、上下方向に延びる凹条部とが、前記側壁部の周方向において交互に連続して、前記側壁部の周方向全域にわたり形成され、
前記凸条部は、その突出方向先端側である前記側壁部の内方に向けて縮幅した断面形状をなしていることを特徴とする容器。
【請求項２】
前記底壁部の上面には、上方に突出する突起が、前記底壁部の上面全域に複数形成されていることを特徴とする請求項１に記載の容器。
【請求項３】
前記側壁部の外面には、
前記側壁部の内面に形成された前記凹条部に対応して、上下方向に延びる外面側凸条部が形成されるとともに、
前記側壁部の内面に形成された前記凸条部に対応して、上下方向に延びる外面側凹条部が形成され、
前記外面側凸条部と、前記外面側凹条部とが、前記側壁部の周方向において交互に連続して形成されていることを特徴とする請求項１又は２に記載の容器。
【請求項４】
前記側壁部の外面側には、所定の情報を表示するための平坦な情報表示面が形成され、
前記情報表示面は、前記外面側凹条部の一部を前記外面側凸条部の突出方向先端部と同じ位置となるまで埋めるようにして形成され、
前記外面側凹条部のうち、前記情報表示面の上辺部と連続する部位に関しては、前記情報表示面と面一となるまで、厚みが徐変されていることを特徴とする請求項３に記載の容器。
【発明の詳細な説明】
【技術分野】
【０００１】
本発明は、物品の運搬等に使用される容器に関するものである。
【背景技術】
【０００２】
一般に、物品の運搬等に使用される容器は、略矩形状の底壁部と、底壁部の側辺部から上方に延出する側壁部とを備えており、上方の開口部から物品を出し入れする構成となっている。また、油等が付着した工業用部品（例えば、ボルトやねじ）等を収容する容器において、容器に収容された物品が、容器の内面に貼り付いてしまうといった事態を抑制するべく、容器の内面に対して多数の突起を設けるといった技術がある（例えば、特許文献１等参照。）。
【先行技術文献】
【特許文献】
【０００３】
【特許文献１】特開２００６−１１７２８８号公報
【発明の概要】
【発明が解決しようとする課題】
【０００４】
しかしながら、上記特許文献１に記載の容器（通い箱）は、樹脂製の箱本体の内側に、エンボス加工によって多数の突起が形成された金属製の中箱を装着することによって構成されている。このように、箱本体、及び、中箱をそれぞれ用意し、両者を組付ける必要がある場合には、生産性の低下や、コストアップ等を招くことが懸念される。
【０００５】
これに対し、例えば、中箱を省略し、その代わりに、箱本体の内面に対して直接突起を形成することも考えられる。しかしながら、箱本体の側壁部内面に形成される突起がアンダーカット形状となってしまい、金型構造の複雑化等を招くおそれがある。その一方で、突起の突出量を小さくした場合には、物品の貼り付きを抑制する、といった機能が著しく低下してしまうことが懸念される。
【０００６】
本発明は、上記例示した問題点等を解決するためになされたものであって、その目的は、全体を一体的に形成することができ、収容された物品が内面に貼り付いてしまうといった事態をより確実に抑制することのできる容器を提供することにある。
【課題を解決するための手段】
【０００７】
以下、上記目的等を解決するのに適した各手段につき項分けして説明する。なお、必要に応じて対応する手段に特有の作用効果等を付記する。
【０００８】
手段１．略板状の底壁部と、前記底壁部の側辺部から上方に延出する側壁部とを具備し、上方に開口する略箱状の容器において、
前記側壁部の内面には、上下方向に延びる凸条部と、上下方向に延びる凹条部とが、前記側壁部の周方向において交互に連続して、前記側壁部の周方向全域にわたり形成され、
前記凸条部は、その突出方向先端側である前記側壁部の内方に向けて縮幅した断面形状をなしていることを特徴とする容器。
【０００９】
手段１によれば、側壁部内面に対して凸条部及び凹条部を形成することにより、容器に収容された物品と、容器側壁部の内面との接触面積を低減させることができる。従って、側壁部内面に対する物品の貼り付きを確実に防止することができる。
【００１０】
また、凸条部及び凹条部は、上下方向、すなわち、側壁部内面や底壁部上面を成形する金型の型抜き方向に沿って延びていることから、例えば、側壁部内面に多数の突起を上下方向にも並ぶようにして形成する場合のようにアンダーカット形状となってしまうといった事態を回避することができる。従って、側壁部の内面に対して、物品の貼り付き防止の形状を有していても、容器全体を一体的に形成することができる。結果として、例えば、容器を複数のパーツで構成するような場合に比べ、容器の生産性の向上や、コストダウン等を図ることができる。
【００１１】
手段２．前記底壁部の上面には、上方に突出する突起が、前記底壁部の上面全域に（例えば、規則的に）複数形成されていることを特徴とする手段１に記載の容器。
【００１２】
手段２によれば、底壁部上面に対する物品の貼り付きについても防止することができる。尚、底壁部上面に形成される突起については、型抜きに関する問題を生じさせることなく、底壁部の上面や側壁部の内面を成形する金型によって形成することができる。
【００１３】
手段３．前記側壁部の外面には、
前記側壁部の内面に形成された前記凹条部に対応して、上下方向に延びる外面側凸条部が形成されるとともに、
前記側壁部の内面に形成された前記凸条部に対応して、上下方向に延びる外面側凹条部が形成され、
前記外面側凸条部と、前記外面側凹条部とが、前記側壁部の周方向において交互に連続して形成されていることを特徴とする手段１又は２に記載の容器。
【００１４】
手段３によれば、凹条部に対応して（その反対面側に）外面側凸条部が形成され、凸条部に対応して（その反対面側に）外面側凹条部が形成されることで、側壁部の厚みをほぼ一定とすることができる。従って、例えば、側壁部の外面を平坦面に形成した場合のように、側壁部のうち、凸条部に対応する部位が厚肉になり過ぎてしまう、或いは、凹条部に対応する部位が薄肉になり過ぎてしまうといった事態を回避することができる。結果として、容器の軽量化を図りつつ、側壁部の強度を確保することができる。
【００１５】
手段４．前記側壁部の外面側には、所定の情報を表示するための平坦な情報表示面が形成され、
前記情報表示面は、前記外面側凹条部の一部を前記外面側凸条部の突出方向先端部と同じ位置となるまで埋めるようにして形成され、
前記外面側凹条部のうち、前記情報表示面の上辺部と連続する部位に関しては、前記情報表示面と面一となるまで、厚みが徐変されていることを特徴とする手段３に記載の容器。
【００１６】
手段４によれば、情報表示面と、その上方に位置する外面側凹条部とが、比較的緩やかに連続するように（段差がなくスロープ状に）なっている。従って、底壁部の下面を成形する金型にとって、情報表示面と、その上方に位置する外面側凹条部との境界部がアンダーカット形状になってしまうといった事態を回避することができ、情報表示面が形成された側壁部の外面を、底壁部の下面を成形する金型と同じ可動型、又は、固定型によって成形することが可能となる。結果として、金型構造の複雑化を抑制することができる。
【００１７】
また、情報表示面の形成位置としても、外面側凹条部及び外面側凸条部の上下中間位置に形成することができる。従って、情報表示面を比較的視認し易い位置に形成することができるとともに、情報表示面が広範囲になり過ぎて容器の軽量化等に反してしまうといった事態を回避することができる。
【００１８】
さらに、情報表示面が形成された側壁部の外面を、底壁部の下面を成形する金型と同じ可動型、又は、固定型によって成形することが可能となることにより、側壁部の外面側において、側壁部から外方に延びるリブの先端側から下方に延びる返しリブを設けることができる。すなわち、可動型の型抜き方向に対して交差する方向に変位するスライド型にとってはアンダーカット形状となってしまうような前記返しリブについても、金型構造の複雑化を招くことなく、その他の部位と一体的に形成することが可能となる。そして、返しリブを設けることによって、容器の強度の向上、容器の持ち運び易さの向上（指先を掛け易くなる）等を図ることができる。
【図面の簡単な説明】
【００１９】
【図１】容器の上面側を示す斜視図である。
【図２】容器の下面側を示す斜視図である。
【図３】容器の断面図である。
【図４】図３のＪ部を示す部分拡大図である。
【図５】容器の一部断面を含む斜視図ある。
【図６】容器の一部断面を含む斜視図ある。
【発明を実施するための形態】
【００２０】
以下に、一実施形態について図面を参照して説明する。図１、図２等に示すように、容器１は、相対する一対の長辺部と相対する一対の短辺部とを備える略矩形板状の底壁部２と、底壁部２の側辺部から上方に延出する側壁部３とを備え、上方に開口する略箱状をなしている。また、容器１には、側壁部３の上辺部から側壁部３の外方に延出する上辺リブ５が設けられている。本実施形態の容器１は、ポリプロピレンによって一体的に形成されている。
【００２１】
また、図３等に示すように、本実施形態の側壁部３は、基本的に断面略波（正弦波）形状をなしている。これにより、側壁部３の内面には、上下方向に延びる凸条部１１と、上下方向に延びる凹条部１２とが、側壁部３の周方向において交互に連続して、側壁部３の周方向全域にわたり形成されている。さらに、側壁部３の外面には、側壁部３の内面に形成された凹条部１２に対応して（その反対面側に）、上下方向に延びる外面側凸条部１３が形成されるとともに、側壁部３の内面に形成された凸条部１１に対応して（その反対面側に）、上下方向に延びる外面側凹条部１４が形成され、外面側凸条部１３と、外面側凹条部１４とが、側壁部３の周方向において交互に連続して形成されている。尚、図３に示すように、本実施形態では、側壁部３の内面側において、容器１のコーナー部が凸条部１１となるように構成されている。
【００２２】
また、相対する一対の側壁部３の外面側には、例えば、会社名や収容物品の名称等の情報を有するラベルが貼着されたり、直接印刷等が施されたりする平坦な情報表示面１５が形成されている。情報表示面１５は、外面側凹条部１４の一部を外面側凸条部１３の突出方向先端部と同じ位置となるまで埋めるようにして形成されている。本実施形態では、情報表示面１５は、外面側凸条部１３及び外面側凹条部１４の上下方向中間位置に（情報表示面１５の上方及び下方に外面側凸条部１３及び外面側凹条部１４が存在するように）形成されている。
【００２３】
さらに、本実施形態では、側壁部３の断面波形状部分は、基本的に一定肉厚となるように構成されているが、図６に示すように、側壁部３のうち、情報表示面１５の上辺部と連続する部位に関しては、外面側凹条部１４が情報表示面１５と面一となるまで、厚みが徐々に変化するように構成されている。尚、情報表示面１５は、外面側凹条部１４の一部を埋めるようにして形成されていることから、当該部位は厚肉部となり、結果的に、他の部位に比べて剛性が高くなっている。
【００２４】
加えて、図３〜図５等に示すように、底壁部２の上面には、上方に突出する突起１８が、底壁部２の上面全域において規則的に複数形成されている。本実施形態の突起１８は、情報表示面１５が形成された側壁部３の横幅方向において幅広となる平面視略長円形状（楕円体を半分にしたような形状）をなしている。また、本実施形態では、各突起１８は、行列状の配置を基本にして、隣接する行や列の突起１８に対して半ピッチ程ずれるように形成されている。さらに、本実施形態では、情報表示面１５が形成された側壁部３の横幅方向において隣接する突起１８同士、及び、情報表示面１５が形成された側壁部３の横幅方向に対して直交する方向において隣接する突起１８同士が、情報表示面１５が形成された側壁部３の横幅方向、及び、情報表示面１５が形成された側壁部３の横幅方向に対して直交する方向において重なるようにして形成されている。
【００２５】
また、図１、図５等に示すように、本実施形態では、凸条部１１、及び、凹条部１２の形成範囲（以下、「凹凸形成範囲」とも称する）は、上下方向において、側壁部３の下端部から、側壁部３の上端部よりも若干下方位置までとなっている。このため、側壁部３のうち凹凸形成範囲よりも上方部位は平坦面となっている。さらに、側壁部３のうち凹凸形成範囲よりも上方部位は、側壁部３の内外方向において、凹条部１２のうち最も側壁部３外方に位置している部位（凹条部１２の底部）に位置を合わせるようにして形成されている。これにより、容器１同士を上下に積み重ねた場合に、下側の容器１の内側に、上側の容器１の下部を挿入可能に構成されている。尚、凸条部１１の上端部については、図６に示すように、斜めに閉塞されている。
【００２６】
加えて、図２、図３等に示すように、容器１の各コーナー部には、側壁部３の外面から外方に突出するようにして、支持脚部２１が形成されている。各支持脚部２１は、容器１のコーナー部から外方に突出し、上下に延びるコーナーリブ２２と、コーナーリブ２２の両側方において上下に延びるサイドリブ２３と、一対のサイドリブ２３及びコーナーリブ２２の下端部間を連結する支持リブ２４とを備えている。
【００２７】
図２に示すように、コーナーリブ２２及びサイドリブ２３は、側壁部３の下端部よりも若干上方位置から、上辺リブ５の下面と連結されるまで延びている。さらに、容器１同士を上下に積み重ねた場合には、上側の容器１の支持リブ２４が、下側の容器１の上辺リブ５の上面に支持されるように構成されている。尚、情報表示面１５が形成された側壁部３を正面視した場合には、情報表示面１５の両側方にサイドリブ２３が上下に延在する格好となっている。さらに、情報表示面１５の下端部は、支持リブ２４よりも上方に位置している。
【００２８】
加えて、図１、図２、図５等に示すように、上辺リブ５のうち各支持脚部２１間の部位の先端部から、下方に延出する返しリブ２６が設けられている。当該返しリブ２６は、各側壁部３の両側部に設けられた一対の支持脚部２１のサイドリブ２３間を連結するようにして形成されている。さらに、返しリブ２６の裏面と、側壁部３の外面と、上辺リブ５の下面との間を連結するようにして補強リブ２７が設けられている（図２参照）。当該返しリブ２６、及び、補強リブ２７によって、側壁部３の上部の剛性が高められるとともに、返しリブ２６に指を掛けて容器１を持ち運ぶことが可能となる。
【００２９】
尚、図示は省略するが、本実施形態の容器１を成型するための金型装置は、底壁部２上面、側壁部３内面、及び、上辺リブ５上面を成型する可動型と、支持リブ２４、上辺リブ５、コーナーリブ２２、及び、サイドリブ２３で囲まれる部位を成型するスライド型と、底壁部２下面、側壁部３外面のうち前記スライド型で成形される部位以外の情報表示面１５等を含む部位、返しリブ２６裏面、返しリブ２６に連接する上辺リブ５下面、支持リブ２４下面、サイドリブ２３外側面、及び、補強リブ２７を成型する固定型とを備えている。また、本実施形態の容器１には、側壁部３内面、及び、底壁部２上面において、型抜きを阻害しない程度のシボ加工が施されている。
【００３０】
以上詳述したように、本実施形態によれば、側壁部３の内面には、上下方向に延びる凸条部１１と、上下方向に延びる凹条部１２とが、側壁部３の周方向において交互に連続して、側壁部３の周方向全域にわたり形成されている。さらに、本実施形態では、凸条部１１は、断面略円弧状をなしている。このため、側壁部３内面に対して形成された凸条部１１及び凹条部１２により、容器１に収容された物品と、側壁部３の内面との接触面積を低減させることができる。従って、側壁部３内面に対する物品の貼り付きを確実に防止することができる。特に、本実施形態では、側壁部３内面、及び、底壁部２上面にシボ加工が施されていることから、かかる作用効果がより一層奏されることとなる。
【００３１】
また、凸条部１１及び凹条部１２は、上下方向、すなわち、側壁部３内面や底壁部２上面を成形する金型の型抜き方向に沿って延びていることから、例えば、側壁部３内面に多数の突起を上下方向にも並ぶようにして形成する場合のようにアンダーカット形状となってしまうといった事態を回避することができる。従って、側壁部３の内面に対して、物品の貼り付き防止の形状を有していても、容器１全体を一体的に形成することができる。結果として、例えば、容器１を複数のパーツで構成するような場合に比べ、容器１の生産性の向上や、コストダウン等を図ることができる。
【００３２】
さらに、底壁部２の上面には、上方に突出する突起１８が、底壁部２の上面全域において規則的に複数形成されている。このため、底壁部２上面に対する物品の貼り付きについても防止することができる。尚、底壁部２上面に形成される突起１８については、型抜きに関する問題を生じさせることなく、底壁部２の上面や側壁部３の内面を成形する金型によって形成することができる。
【００３３】
また、本実施形態によれば、側壁部３内面に形成された凹条部１２に対応して、その反対面側に外面側凸条部が形成され、側壁部３内面に形成された凸条部１１に対応して、その反対面側に外面側凹条部１４が形成されている。このため、側壁部３は、基本的に断面略波形状とされ、側壁部３の厚みをほぼ一定とすることができる。従って、例えば、側壁部３の外面全体を平坦面に形成した場合のように、側壁部３のうち、凸条部１１に対応する部位が厚肉になり過ぎてしまう、或いは、凹条部１２に対応する部位が薄肉になり過ぎてしまうといった事態を回避することができる。結果として、容器１の軽量化を図りつつ、側壁部３の強度を確保することができる。
【００３４】
また、側壁部３の外面に形成された平坦な情報表示面１５は、外面側凹条部１４の一部を外面側凸条部１３の突出方向先端部と同じ位置となるまで埋めるようにして形成されるとともに、外面側凹条部１４のうち、情報表示面１５の上辺部と連続する部位に関しては、情報表示面１５と面一となるまで、厚みが徐変されている。このため、情報表示面１５と、その上方に位置する外面側凹条部１４とが、比較的緩やかに連続するように（段差がなくスロープ状に）なっている。従って、底壁部２の下面を成形する金型（本例では固定型）にとって、情報表示面１５と、その上方に位置する外面側凹条部１４との境界部がアンダーカット形状になってしまうといった事態を回避することができ、情報表示面１５が形成された側壁部３の外面を、底壁部２の下面を成形する固定型によって成形することが可能となる。結果として、金型構造の複雑化を抑制することができる。
【００３５】
また、情報表示面１５の形成位置としても、外面側凹条部１４及び外面側凸条部１３の上下中間位置に形成することができる。従って、情報表示面１５を比較的視認し易い位置に形成することができるとともに、情報表示面１５が広範囲になり過ぎて容器１の軽量化等に反してしまうといった事態を回避することができる。
【００３６】
さらに、情報表示面１５が形成された側壁部３の外面を、底壁部２の下面を成形する金型と同じ固定型によって成形することが可能となることにより、側壁部３の外面側において、側壁部３から外方に延びる上辺リブ５の先端側から下方に延びる返しリブ２６や、その裏面側に補強リブ２７を設けることができる。すなわち、可動型の型抜き方向に対して交差する方向に変位するスライド型にとってはアンダーカット形状となってしまうような返しリブ２６等についても、金型構造の複雑化を招くことなく、その他の部位と一体的に形成することが可能となる。そして、返しリブ２６や補強リブ２７を設けることによって、容器１の強度の向上、容器１の持ち運び易さの向上（指先を掛け易くなる）等を図ることができる。
【００３７】
加えて、本実施形態では、凸条部１１が容器１のコーナー部に合致するように構成されている。このため、容器１に収容された物品がコーナー部に入り込んで貼り付いてしまうといった事態をより確実に回避することができる上、コーナーリブ２２と協働して、容器１コーナー部の剛性を高めることができる。
【００３８】
また、本実施形態では、側壁部３において凸条部１１及び凹条部１２が形成される凹凸形成範囲は、側壁部３の上辺部よりも若干下方位置までとなっており、その上方は平坦面とされている。さらに、側壁部３のうち凹凸形成範囲の上方に位置する部位は、側壁部３の内外方向において、凹条部１２の底部に位置を合わせるようにして形成されている。このため、底壁部２の下面側において、容器１同士を上下に積み重ねる場合に、上側の容器１の下部を、下側の容器１の内側に挿入させるための形状を別途形成しなくても済む。さらには、容器１同士を上下に積み重ねた場合に、下側の容器１の凸条部１１に対して、上側の容器１外面が圧接してしまう、或いは、積み重ねる作業に際して、下側の容器１の凸条部１１に対して、上側の容器１下面が衝突してしまうといった事態を回避することができる。
【００３９】
尚、上記実施形態の記載内容に限定されず、例えば次のように実施してもよい。勿論、以下において例示しない他の応用例、変更例も当然可能である。
【００４０】
（ａ）上記実施形態では、側壁部３が断面略正弦波形状をなしているが、特にこのような構成に限定されるものではなく、少なくとも側壁部３内面に対して凸条部１１及び凹条部１２が形成されるとともに、凸条部１１が、その突出方向先端側である側壁部の内方に向けて縮幅した断面形状をなすように構成されていればよい。さらに、凸条部１１及び凹条部１２のピッチ、断面形状、及び、形成範囲についても用途ごとに適宜設定することができ、例えば、凸条部１１を断面略台形状、断面略三角形状としてもよいし、側壁部３の上辺部にまで凸条部１１及び凹条部１２を延在させることとしてもよい。
【００４１】
（ｂ）また、突起１８の形状や配置等についても特に限定されるものではなく、例えば、突起１８を略半球形状としてもよいし、突起１８を行列状に（ピッチをずらすことなく）形成することとしてもよい。但し、上記実施形態のように、突起１８のピッチをずらして形成する、さらには、情報表示面１５が形成された側壁部３の横幅方向において隣接する突起１８同士、及び、情報表示面１５が形成された側壁部３の横幅方向に対して直交する方向において隣接する突起１８同士が、情報表示面１５が形成された側壁部３の横幅方向、及び、情報表示面１５が形成された側壁部３の横幅方向に対して直交する方向において重なるようにして形成することにより、底壁部２上面のうち突起１８が形成されていない部位の面積を極力低減させることができる。尚、突起１８は、その表面が湾曲形状を成している（上記実施形態では楕円体を半分にしたような形状となっている）ことから、突起１８同士を詰めて配置しても問題なく成形することができる。
【００４２】
（ｃ）上記実施形態において、底壁部２上面、及び、側壁部３内面を固定型で成形し、底壁部２下面、側壁部３外面のうちスライド型で成形される部位以外の情報表示面１５等を含む部位を可動型で成形する金型装置を用いて容器１を成形するように構成してもよい。
【００４３】
（ｄ）上記実施形態では、容器１はポリプロピレンにより構成されているが、ポリエチレン、ＰＥＴ、ポリアミド等その他の樹脂材料により構成されることとしてもよい。
【符号の説明】
【００４４】
１…容器、２…底壁部、３…側壁部、５…上辺リブ、１１…凸条部、１２…凹条部、１３…外面側凸条部、１４…外面側凹条部、１５…情報表示面、１８…突起、２６…返しリブ。
【図１】
2015196536.tif 000003
【図２】
2015196536.tif 000004
【図３】
2015196536.tif 000005
【図４】
2015196536.tif 000006
【図５】
2015196536.tif 000007
【図６】
2015196536.tif 000008